【手続補正書】
【提出日】平成17年9月14日(2005.9.14)
【手続補正１】
【補正対象書類名】明細書
【補正対象項目名】発明の名称
【補正方法】変更
【補正の内容】
【発明の名称】病理試料用カセット、バリ無し包埋皿及び包埋枠
【手続補正２】
【補正対象書類名】明細書
【補正対象項目名】特許請求の範囲
【補正方法】変更
【補正の内容】
【特許請求の範囲】
【請求項１】包埋皿（５９）の開口部（２ａ）の周縁外側に、四角形の病理試料用カセットの外側面と水密に嵌合するための水密枠（１４）を一体的に突設することを特徴とする病理試料用バリ無し包埋皿。
【請求項２】包埋皿（５９）の開口部（２ａ）の周縁外側に、四角形の病理試料用カセットの全外周面（１１ａ）と水密に嵌合するための四角形の水密枠（１４）を一体的に突設することを特徴とする病理試料用バリ無し包埋皿。
【請求項３】水密枠（１４）の高さ（ｈ）を病理試料用カセットの外周面の高さ（Ｈ）より低くすることを特徴とする請求項１または２記載の病理試料用バリ無し包埋皿。
【請求項４】包埋皿（５９）の四角形の開口部（２ａ）の周縁外側における三方に、四角形の病理試料用カセットの三方の外周面（１１ａ）と水密に嵌合する水密枠（１４）を一体的に突設すると共に、前記四角形の開口部（２ａ）の周縁における残る一方に該病理試料用カセットの多孔底面外側（１０ｂ）と水密に嵌合するための水密上端面（４）を上向きに形成するとことを特徴とする病理試料用バリ無し包埋皿。
【請求項５】包埋皿（５９）の開口部（２ａ）の周縁に、四角形の病理試料用カセットの外側面と水密に嵌合する水密枠（１４）を一体的に突設し、該包埋皿（５９）の周囲をバリ無し包埋枠（１９）で形成し、その包埋枠（１９）の開放底部（１８）を底板（２９）の上面に水密に載置することを特徴とする病理試料用バリ無し包埋皿。
【請求項６】包埋皿５９）の開口部（２ａ）の周縁外側に、四角形の病理試料用カセットの外側面と水密に嵌合する水密枠（１４）を一体的に突設し、該包埋皿（５９）の周囲をバリ無し包埋枠（１９）で構成し、その包埋枠（１９）の開放底部（１８）を汎用包埋皿（５４）の上面に水密に載置することを特徴とする病理試料用バリ無し包埋皿。
【請求項７】包埋皿（５９）の開口部（２ａ）の周縁に、四角形の試料用カセットの外側面の下端縁と係合する上端縁（４）を形成することを特徴とする請求項１または２記載の病理試料用バリ無し包埋皿。
【請求項８】上側に開口部（２１）を形成し、その下側に多孔底面（１０）を形成したカセット枠状基体（１１）と、そのカセット枠状基体（１１）のカセット開口部（２１）に脱着自在に嵌合する多孔性の通液口（５８ａ）を有する蓋体（５８）からなる病理試料用カセットと嵌合する包埋皿に於いて、
前記カセット枠状基体（１１）の外壁の外周面（１１ａ）を病理試料の包埋皿（５９）の水密枠内周面（１４ａ）と水密に嵌合し、該カセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記枠状基体（１１）の外壁の外周面（１１ａ）の高さより前記包埋皿（５９）の水密枠内周面（１４ｇ）の高さは低いが該包埋皿（５９）の開口部（２ａ）の水密枠（１４）の厚さは包埋剤（３２）が該枠状基体（１１）の外壁の外周面（１１ａ）と該包埋皿（５９）の水密枠（１４ｇ）の接触尖端部（１４ｅ）に多く溜まらないような厚さにするか、または該包埋皿（５９）の開口部（２ａ）の水密枠（１４）の尖端部（１４ｅ）に内側から外側に傾斜をつけた包埋皿開口部を有することを特徴とする病理試料用カセット及び包埋皿。
【請求項９】上側に開口部（２１）を形成し、その下側に多孔性の通液口を有する底面（１０）を形成した枠状基体（１１）と、その枠状基体（１１）の開口部（２１）に脱着自在に嵌合する多孔性の通液口（５８ａ）を有する蓋体（５８）からなる病理試料用カセットに於いて、
前記枠状基体（１１）の方形な多孔底面外側（１０ｂ）の３方外壁の外周面（１１ａ）を病理試料の包埋皿（５９）の３方水密枠の内周面（１４ａ）と水密に嵌合し、該カセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記カセット枠状基体（１１）の３方外壁の外周面（１１ａ）の高さ（Ｈ）と前記包埋皿（５９）の３方の水密枠の内周面（１４ａ）の高さ（ｈ）とが殆ど一致する包埋皿開口部（２ａ）を有することを特徴とし、
残りの該カセット枠状基体（１１）の１辺外周面（１１ａ）と該包埋皿（５９）の1辺水密枠（１４）では、前記枠状基体（１１）の外壁の外周面（１１ａ）の高さより前記包埋皿（５９）の水密枠内周面（１４ｇ）の高さは低く、
該包埋皿（５９）の開口部（２ａ）の水密枠（１４）の厚さは、包埋剤（３２）が該枠状基体（１１）の外壁の外周面（１１ａ）と該包埋皿（５９）の水密枠（１４ｇ）の接触尖端部（１４ｅ）に多く溜まらないような厚さにするか、または該包埋皿（５９）の開口部（２ａ）の水密枠（１４）の尖端部（１４ｅ）に内側から外側に傾斜をつけた包埋皿開口部を有することを特徴とする病理試料用カセット及び包埋皿。
【請求項１０】上側に開口部（２１）を形成し、その下側に多孔性の通液口を有する底面（１０）を形成した枠状基体（１１）と、その枠状基体（１１）の開口部（２１）に脱着自在に嵌合する多孔性の通液口（５８ａ）を有する蓋体（５８）からなる病理試料用カセットに於いて、
前記枠状基体（１１）の方形な多孔底面外側（１０ｂ）の３方外壁の外周面（１１ａ）を病理試料の包埋皿（５９）の３方水密枠内周面（１４ａ）と水密に嵌合し、該カセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記枠状基体（１１）の３方外壁の外周面（１１ａ）の高さと前記包埋皿（５９）の３方水密枠の内周面（１４ａ）の高さとが殆ど一致する包埋皿開口部（２ａ）を有することを特徴とし、
該包埋皿の残りの１辺には水密枠（１４）は無く、該カセット枠状基体（１１）の下側底面を該包埋皿の上端面（４）で覆い塞ぐ形状に形成することを特徴とする病理試料用カセット及び包埋皿。
【請求項１１】上側に開口部（２１）を形成し、その下側に多孔性の通液口を有する底面（１０）を形成した枠状基体（１１）と、その枠状基体（１１）の開口部（２１）に脱着自在に嵌合する多孔性の通液口（５８ａ）を有する蓋体（５８）からなる病理試料用カセットに於いて、
前記枠状基体（１１）の外壁の外周面（１１ａ）を病理試料の包埋枠（１９）の水密枠の内周面（１４ａ）と水密に嵌合する包埋皿の開口部（２ａ）を有し、該カセットのカセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記枠状基体（１１）の外壁の外周面（１１ａ）の高さと前記包埋枠（１９）の内壁の高さとが殆ど一致し、前記包埋枠（１９）の開放底部（１８）に包埋枠用底板（１９）または汎用包埋皿（５４）を敷いてその内空間を包埋皿として病理試料の包埋ブロックを形成することを特徴とする病理試料用カセット及びバリ無し包埋枠。
【請求項１２】上側に開口部（２１）を形成し、その下側に多孔性の通液口を有する底面（１０）を形成した枠状基体（１１）と、その枠状基体（１１）の開口部（２１）に脱着自在に嵌合する多孔性の通液口（５８ａ）を有する蓋体（５８）からなる病理試料用カセットに於いて、
前記枠状基体（１１）の外壁の外周面（１１ａ）を病理試料の包埋枠（１９）の水密枠の内周面（１４ａ）と水密に嵌合する包埋開口部（２ａ）を有し、該カセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記枠状基体（１１）の外壁の外周面（１１ａ）の高さより前記包埋枠（１９）の水密枠内周面（１４ｇ）の高さは低いが該包埋皿枠（１９）の開口部（２ａ）の水密枠（１４）の厚さは包埋剤（３２）が該枠状基体（１１）の外壁の外周面（１１ａ）と該包埋枠（１９）の水密枠（１４ｇ）の接触尖端部（１４ｅ）に多く溜まらないような厚さにするか、または該包埋枠（１９）の開口部（２ａ）の水密枠（１４）の尖端部（１４ｅ）に内側から外側に傾斜をつけた包埋皿開口部（２ａ）を有し、前記包埋枠（１９）の開放底部（１８）に包埋枠用底板（１９）または汎用包埋皿（５４）を敷いてその内空間を包埋皿として病理試料の包埋ブロックを形成することを特徴とする病理試料用カセット及びバリ無し包埋枠。
【請求項１３】包埋枠内壁（１９ｄ）と開放底部（１８）に囲まれた病理組織試料と包埋剤充填部の空間である包埋収納部（２０）が、左右または上下で非対称に成るように包埋枠内壁（１９）を成形し、包埋剤で包埋された試料の包埋ブロックの薄切切片を左右または上下非対称に薄切りして、スライドに貼付・伸展する方向や前記薄切切片内の試料の配列順序を明確にする基準マークを包埋ブロックに成形することを特徴とする請求項１１または１２記載の病理試料用カセット及びバリ無し包埋枠。
【請求項１４】該カセット外周面（１１ａ）の四方または三方の側壁面を、カセット多孔底面外側（１０ｂ）に対して、該カセットをミクロトームにワンタッチに脱着する従来のアダプターに設置するのに邪魔に成らない、直角から僅かながら鈍角なテーパーをつけたことを特徴とする請求項８、９、又は、１０に記載の病理試料用カセット及び包埋皿
【請求項１５】多孔底面（１０）に窓口（２２）を成形したことを特徴とする請求項８、９、又は、１０記載の病理試料用カセット及び包埋皿
【請求項１６】多孔底面（１０）を前記枠状基体（１１）の中間部に形成したことを特徴とする請求項８、９、又は、１０記載の病理試料用カセット及び包埋皿。
【手続補正３】
【補正対象書類名】明細書
【補正対象項目名】００１０
【補正方法】変更
【補正の内容】
【００１０】
その為に、既に本件発明者（単に「発明者」ということもある）によって特許出願（「発明出願」ということもある）されている固定移送容器の外部やカセットの窓口を通して多孔皿の外部からその中に収納されている病理組織試料が観察確認できるマクロ画像とそれらの試料が臨床側での採取時に記載され附された患者認識データ（患者属性や患者ＩＤや患者カルテ番号等）と病理側での受付整理番号とで、臨床側の患者からの試料採取とその臨床データを含む病理診断検査依頼書データの記載と病理診断依頼提出時から病理検査試料の受領・搬送・受付・切り出し仕分け・薬液処理・包埋・標本作製・既往歴検索・病理診断・データ管理保管・病理報告書発行終了までの全ての作業行程において、統一的に管理使用することである。
【手続補正４】
【補正対象書類名】明細書
【補正対象項目名】００１３
【補正方法】変更
【補正の内容】
【００１３】
その為には従来のバリ無し包埋皿とその包埋方法では、カセットの上側に開口部を形成しアダプター嵌合部でもある枠状基体の下側の底面外周面より少ない面積にて突設した多孔支持底板の側面と該多孔支持底板より広い前記枠状基体の底面外周面の交差凹状部面に前記バリ無し包埋皿の開口内周面と包埋皿開口外周壁と内周壁間の面の交差凸状部面で多孔支持底板をその底面積より少ない面積にて突設した枠状基体底部と包埋皿内周を水密に嵌合させているが、この突設部が従来の多くのカセット印字機での印字や従来の包埋皿で包埋する時に邪魔になっている。
【手続補正５】
【補正対象書類名】明細書
【補正対象項目名】００１８
【補正方法】変更
【補正の内容】
【００１８】
しかし、現在多くのカセットの自動印字プリンターでバーコードや二次元データコードやサンプルナンバーや患者名等の患者データを印字するにはカセットの枠状基体の底面外周面より少ない面積にて突設した多孔支持底板が邪魔になる。
【手続補正６】
【補正対象書類名】明細書
【補正対象項目名】００２４
【補正方法】変更
【補正の内容】
【００２４】
その上にまた、バリ無し包埋皿５９に底が無くなりバリ無し包埋枠１９になるならば、収納されたカセット枠状基体の上下には薬液通過の邪魔になる底がなく周囲に枠だけがあるのでカセット枠状基体１１とバリ無し包埋枠１９とを始めから一緒にしてしまえば、試薬処理の籠の役目と包埋皿の役目とブロック基台としての役目の３役の機能を一つに纏めて且つそれら作業工程の短縮や試料の紛失混入の防止にもなるし、カセット枠状基体１１をより薄くすることが可能になることである。
【手続補正７】
【補正対象書類名】明細書
【補正対象項目名】００２８
【補正方法】変更
【補正の内容】
【００２８】
そこで、図１０〜図１３に示す如くに図５乃至図６と図９のバリ無し包埋皿５９の収容底部３を取り去り上側開口部２ａも下側包埋枠開放底部１８にも閉鎖された面がない、上下の上側開口部２ａから下側包埋枠開放底部１８が開かれた筒状のバリ無し包埋枠１９を成形して、該カセット枠状基体１１の下側包埋枠開放底部１８側に対して同等より狭く該カセット枠状基体外周面１１ａで囲まれた枠状基体全底面より若干狭い面積に絞り込み、該カセット枠状基体の周辺が載り落ち込まない形状に成形された包埋皿上端面４を持ち、それより下の包埋収納部２０から包埋枠開放底部１８にかけて同等乃至窄まる大きさに成形して且つその最終下側包埋枠開放底部１８の一端に左右或いは上下非対称になる基準マーク５を成形して、その下面に既成の大型の包埋皿乃至は汎用包埋皿５４または一枚の薄いプレートである、バリ無し包埋枠用底板２９を敷いて密閉して、包埋剤３２を注入してコールドプレート上に移してパラフィン等の該包埋剤を凝固固化すると、バリ無し包埋ブロック試料を作製することができる。
【手続補正８】
【補正対象書類名】明細書
【補正対象項目名】００３０
【補正方法】変更
【補正の内容】
【００３０】
さらにまた、図１５〜図１８に示す如くに、カセット枠状基体の多孔底面１０に窓口２２を成形したり該窓口２２の周囲に生検試料等の小物試料を分別収納する為の小部屋２３を仕切壁２４で区切り成形すると、前記カセット枠状基体１１をバリ無し包埋枠１９に嵌め込んだまま該包埋枠１９の下面の既成の大型の包埋皿乃至は汎用包埋皿５４またはバリ無し包埋枠用底板２９上の薄切検査底面に生検試料等を並べて定着させることができ、バリ無し包埋ブロックカセット試料を作製することができる。
【手続補正９】
【補正対象書類名】明細書
【補正対象項目名】００３５
【補正方法】変更
【補正の内容】
【００３５】
その上にさらにまた、また、既に本件特許出願人が出願している包埋ゲル固定支持剤４６を用いて図４３〜図４８と図５２乃至図５３に示す如くの（生検試料）固定移送板５５を用いると、生検試料も前記バリ無し包埋枠１９内に収まっている前記カセット枠状基体１１に成形された前記窓口２２を通して該カセット枠状基体１１を外すことなく包埋作業を完了することができる。この事は、該包埋ゲル固定支持剤４６と該（生検試料）固定移送板５５と該バリ無し包埋皿カセットを用いると包埋作業のオートメーション化ができるということになる。
【手続補正１０】
【補正対象書類名】明細書
【補正対象項目名】００３６
【補正方法】変更
【補正の内容】
【００３６】
さらにまた、図４３〜図４６は生検試料３１をその位置番号５２の順番に生検試料Ｖ字谷収納箇所４７に並べてそこに前記包埋ゲル固定支持剤４６を流し込み試料裏打ち板４９に該生検試料３１を定着保持すると、その該生検試料３１の直径の大小に関わらずその該生検試料３１はＶ字谷に跨る様に収まり該生検試料３１の中心が一列に同一直線上に並ぶ。このことによって、該生検試料Ｖ字谷収納箇所４７に並んだ該包埋ゲル固定支持剤４６で一つに纏められた該生検試料３１は試料包埋薄切面５０を包埋皿収納底部３またはバリ無し包埋枠用底板２９に付けて包埋すれば、全ての該包埋ゲル固定支持剤内の該生検試料３１は最大面積一緒に纏めて薄切されることになる。図４３と図４４の固定移送板５５の試料裏打ち板４９は厚紙か多孔性の例えばポリビニールアルコール性の板が良い。特に、ポリビニールアルコール性の試料裏打ち板を用いると患者データの記載もでき、臨床側の簡便固定と裏打ち（試料裏打ち箇所５６）にも使用でき、薄切もできるので図４５と図４６の如くにそのまま包埋することもできる。図４７と図４８は固定移送板のその他の実施例である。
【手続補正１１】
【補正対象書類名】明細書
【補正対象項目名】００３９
【補正方法】変更
【補正の内容】
【００３９】
【発明の効果】
この発明は上述のとおり、カセット枠状基体の外周面と底部の交わる凸状２角面或いは１面とバリ無し包埋皿の水密枠と包埋皿上端面の交わる凹状２角面或いは１面とで包埋皿収容底部上の包埋剤がカセット枠状基体の外周面に溢れ出ない様に水密にカセット枠状基体が包埋皿上端面上の水密枠に嵌合することを特徴としていて、その発展形であるバリ無し包埋枠の場合は全周囲の水密枠の高さがカセット枠状基体の外周面の高さ即ち枠状基体の厚さと同じであっても包埋作業の完成した包埋ブロックカセットは枠状基体の包埋枠開放底部を上に押し出すことで簡単に取り出せるのでバリ無し包埋皿の様なカセット取り出し部は必要ない。
そこで、カセット枠状基体の多孔底面とバリ無し包埋枠の開放底部側の蓋との間、またカセット多孔底面に窓口を成形した場合には包埋皿カセットの蓋とバリ無し包埋枠開放底部側蓋との間に多孔面で完全に囲まれた空間ができ、ここを試料の収納部として使用すると、包埋皿カセットとして包埋機能が繰り込まれたカセットが出来上がる。